(57)【要約】      （修正有）【課題】マスク着用時により美しく見えるようにするマスクに着けるマスクチェーンを提供する。【解決手段】マスクチェーンは、チェーン本体と、チェーン本体両端に、各々設けられた留め金としてのロブスターバックル２１を含む。このマスクチェーンは、マスク５１、ベール、フェイスタオルなどのマスク類に直接に装着することができ、マスク類を着用する際により美しくさせることにより、見た目を重視する人々のニーズを満たし、更に再使用することもできる。マスクの両側につけたマスクチェーンで笑顔のように見え、コロナウィルスの影響があっても、人々が笑顔でポジティブなエネルギーを発揮できるようになる。【選択図】図２
0003232922.tif 000002
【実用新案登録請求の範囲】
【請求項１】
マスクに着けるマスクチェーンであって、チェーン本体と、チェーン本体の両端に、各々設けられた２つの留め金を含むこと、を特徴とするマスクチェーン。
【請求項２】
２つの留め金は、ロブスターバックル、スプリングバックル、フックまたはピンであること、を特徴とする請求項１記載のマスクチェーン。
【請求項３】
２つの留め金をマスクの左右両側の耳掛け紐に別れて装着可能に形成されているか、またはマスクの左側の耳掛け紐に２つの留め金を装着可能に形成されているか、またはマスクの右側の耳掛け紐に２つの留め金を装着可能に形成されていること、を特徴とする請求項１または２記載のマスクチェーン。
【請求項４】
マスクに着けたマスクチェーンのチェーン本体がマスクの前面に露出可能に形成したこと、を特徴とする請求項１乃至３の内のいずれか一項記載のマスクチェーン。
【考案の詳細な説明】
【技術分野】
【０００１】
本実用新案はアクセサリー技術の分野に係り、特にマスクチェーンに関連するものである。
【背景技術】
【０００２】
美しさを追求するためには、顔が隠れても美しくなければならない。特にコロナウィルスの影響がある今日、マスクを着けて出かけることで、ウイルスを防ぐことはできるが、マスクを着けることは美観にも 影響を与え、美を愛する人々に大きな迷惑をかける結果を招いている。コロナウィルスの影響で、人々は衛生マスクをつけて外出する必要があるが、そうすると笑顔を隠してしまうからである。
【０００３】
この問題点は従来のアクセサリーでは解決できないのが事実である。そのため、マスク、ベール、フェイスタオルなどのマスク類に直接に着けることができ、マスク類がより美しく見えるようになって人々の美的ニーズを満たすことの可能なアクセサリーが求められていた。
【考案の概要】
【０００４】
本実用新案は上記の従来技術の欠点に鑑み、マスクに着けることで笑顔のように見え、コロナウィルスの影響があっても、人々が笑顔でポジティブなエネルギーを発揮できることを願ってなされたものであり、本実用新案によって解決される技術的問題は、マスクをより美しくみられるようにするマスクチェーンを提供することである。
【０００５】
上記の目的を達成するために、本実用新案は、以下の技術的解決策を採用している。
本実用新案の技術的問題を解決するためのマスクチェーンは、チェーン本体と、チェーン本体の両端に、各々設けられた留め金とを含む。
前記留め金はロブスターバックル、スプリングバックル、フックまたはピンなどである。
本実用新案のマスクチェーンは、マスクの左右両側の耳掛け紐にわたるように装着されるか、またはマスクの左右の内、片側の耳掛け紐に装着される。マスクチェーンはマスクに着けたとき、チェーン本体がマスクの前面に露出するように形成されている。
【考案の効果】
【０００６】
従来の技術と比較して、本実用新案のマスクチェーンは、マスク、ベール、フェイスタオルなどのマスク類に直接に装着することができ、マスク類を着用した際にさらに 美しくさせるし、見た目を重視する人々のニーズを満たし、再使用することもできる。
【図面の簡単な説明】
【０００７】
【図１】本実用新案の実施例１のマスクチェーンの構成図である（実施例１）。
【図２】本実用新案の実施例１の使用状態を示す説明図である。
【図３】本実用新案の実施例１の他の使用状態を示す説明図である。
【考案を実施するための形態】
【０００８】
本実用新案の目的、技術的解決策および効果をよりあきらかで、明確にするために、以下、 図面を参照して実施例を挙げて本実用新案をさらに詳細に説明する。
ここで説明する特定の実施例は本実用新案を解釈するためにのみ使用され、本実用新案を限定するものではないことを理解されたい。
実施形態および実用新案登録請求の範囲において、数量に対して特に限定されない限り、「１」お よび「上記」とは１つまたは複数を指す。
また、本実用新案の実施例において、「第１」、「第２」などの記載があるが、「第１」、「第２」などの記載は説明のためのものであり、その相対的な重要性を暗示するか、示された 技術的機能の数を暗示的に示すものではない。
【０００９】
従って、「第１」、「第２」で定義された特徴には、少なくとも１つのこの特徴が明示的または暗黙的に含まれる。
なお、各実施例間の技術的解決策をも互いに組み合わせることができ、当業者が達成できることに基づいていなければならなく、技術的解決策の組み合わせが矛盾している、または達成できない場合、そのような技術的解決策の組み合わせは存在しないし、本実用新案の保護範囲に含まないと見なされるべきである。
【００１０】
図１、図２、図３に示すように、本実施例のマスクチェーンには、１本のチェーン本体１と２つ一組の留め金２が含まれている。チェーン本体１はジュエリーで構成されている。２つの留め金２は、各々チェーン本体１の両端に設けられている。本実施例では、留め金２はロブスターバックル２１としているが、スプリングバックル、フック、またはピンなどの他の留め具部材に置き換えても良い。マスク類の一例としてのマスクは、図２、図３に示す如く、マスク本体５１と、マスク本体５１の左右両端に装着された２つの耳掛け紐５２を含む。
【００１１】
留め金２である２つのロブスターバックル２１は、各々左右両側の耳掛け紐５２に別れて装着することで、マスクチェーンがマスクの左右両側にわたるように装着されるようにしてもよく（図２参照）、或いは、２つのロブスターバックル２１を左側の耳掛け紐５２の上下に装着して、マスクチェーンがマスクの左片側に装着されるようにしたり（図３参照）、反対に、２つのロブスターバックル２１を図３のマスク右側の方の耳掛け紐５２の上下に装着し、マスクチェーンがマスクの右片側に装着されるようにしても良い。なおいずれの場合でも、マスクチェーンをマスク５１に着けたとき、チェーン本体１をマスク５１の前面に露出させることができるようにマスクチェーンが形成されている。
使用者がマスク５１をつけたとき、マスクチェーンがマスク５１の外側に露出することで、マスクの美しさが増大し、笑顔のように見える。コロナウィルスの影響があっても、人々が笑顔でポジティブなエネルギーを発揮することができるようになる。
【００１２】
本実施例のマスクチェーンによれば、マスク、ベール、フェイスタオルなどのマスク類に直接に装着することができ、マスクを着用する際にさらに美しくさせることができ、見た目を重視する人々のニーズを満たすことができる。また、再使用することもできる。
【００１３】
なお、本実用新案では、留め金は、耳掛け紐に直接留めることができる他の種類の留め具部材としても良い。
【００１４】
当業者は、本明細書に開示された解決策を実践した後、本考案の他の実施形態を容易に考えるであろう。本実用新案は、本実用新案のあらゆる変形、用途または適応可能な変更を含み、これらの変形、用途または適応可能な変更は、本実用新案の一般原則に従い、本開示で開示されていない技術分野の共通知識または通常の技術手段を含む。明細書および実施例は単なる例示であり、本実用新案の真の範囲および精神は、実用新案登録請求の範囲によって示される。
当業者は、本実用新案の技術的解決策およびその概念に基づいてなされた等価の置換や変更も、すべて本実用新案の保護範囲に含まれることは言うまでもない。
【産業上の利用分野】
【００１５】
本実用新案のマスクチェーンは、マスクはもちろんのこと、ベール、フェイスタオルなどの種々のマスク類を対象にマスクチャームまたはマスクアクセサリとして使用することができる。
【符号の説明】
【００１６】
１  チェーン本体
２  留め金
２１  ロブスターバックル
５１  マスク
５２  耳掛け紐
【図１】
0003232922.tif 000003
【図２】
0003232922.tif 000004
【図３】
0003232922.tif 000005